(57)【要約】【課題】表示ユニットと表示ユニットを前面に配置した透明基板、及び透明基板を装着者の眼球に対向する様に支持するテンプルと、を備えたＨＭＤにおいて、ＨＭＤを使用しない場合、透明基板を保護するとともに、よりコンパクトにすることが可能なＨＭＤを提供する。【解決手段】映像を表示する表示ユニットと、装着時に観察者の左右の眼球にそれぞれ対向する位置に配置され、且つ、表示ユニットを該眼球に対向する面と反対側の面の一方、またはその両方に配置した２つの透明基板と、透明基板をそれぞれ保持し、且つ、観察者の頭部において支持される２つのテンプルと、を有するＨＭＤにおいて、テンプルが頭部によって支持される位置と、透明基板の表示ユニットが配置された面に沿った位置、または透明基板を挟んで対向する位置との間を移動可能にするテンプル可動手段を備える。【選択図】図３
2007274340.tif 000002
【特許請求の範囲】
【請求項１】
映像を表示する表示ユニットと、
装着時に観察者の左右の眼球にそれぞれ対向する位置に配置され、且つ、前記表示ユニットを該眼球に対向する面と反対側の面の一方、またはその両方に配置した２つの透明基板と、
前記透明基板をそれぞれ保持し、且つ、観察者の頭部において支持される２つのテンプルと、を有する頭部装着式映像表示装置において、
前記テンプルが前記頭部によって支持される位置と、前記透明基板の前記表示ユニットが配置された面に沿った位置との間を移動可能にするテンプル可動手段を有することを特徴とする頭部装着式映像表示装置。
【請求項２】
前記テンプル可動手段は、前記テンプルと前記透明基板が接続する位置であって、前記テンプルを前記透明基板の側面に沿って回転可能に連結する第１連結部と、
前記テンプルを前記透明基板の方向に折り曲げて回転可能に連結する第２連結部と、を有することを特徴とする請求項１に記載の頭部装着式映像表示装置。
【請求項３】
映像を表示する表示ユニットと、
装着時に観察者の左右の眼球にそれぞれ対向する位置に配置され、且つ、前記表示ユニットを該眼球に対向する面と反対側の面の一方、またはその両方に配置した２つの透明基板と、
前記透明基板をそれぞれ保持し、且つ、観察者の頭部において支持される２つのテンプルと、を有する頭部装着式映像表示装置において、
前記テンプルが前記頭部によって支持される位置と、前記透明基板を挟んで対向する位置との間を移動可能にするテンプル可動手段を有することを特徴とする頭部装着式映像表示装置。
【請求項４】
前記テンプル可動手段は、前記透明基板を、該透明基板が互いに対向する面に沿って回転可能に連結する第１連結部と、
前記テンプルを前記透明基板の方向に折り曲げて回転可能に連結する第２連結部と、を有することを特徴とする請求項３に記載の頭部装着式映像表示装置。
【発明の詳細な説明】
【技術分野】
【０００１】
本発明は、映像表示装置に関し、特に頭部装着式映像表示装置に関する。
【背景技術】
【０００２】
近年、映画やビデオ等のコンテンツ映像（画像）の観賞や産業機器若しくは医療機器の遠隔操作等を目的とした頭部装着式映像表示装置、すなわちＨＭＤ（Ｈｅａｄ  Ｍｏｕｎｔ  Ｄｉｓｐｌａｙ）の開発が行われている。
【０００３】
ＨＭＤは、液晶表示素子や有機ＥＬ等の映像表示素子と、該映像表示素子から得られる映像をＨＭＤの装着者の眼球に導く為の接眼光学系等、を備えた表示ユニットが設けられている。そして、該接眼光学系によって映像表示素子から得られた映像を、装着者の眼球に直接投影させることで、恰も該映像が空中に拡大投影されているかの様な虚像の観察を可能にしている。
【０００４】
この様な構成のＨＭＤは、通常、眼鏡やゴーグルの形状を有し、眼鏡のレンズに相当する透明基板と、装着者の耳や側頭部に掛止されて該透明基板を装着者の眼球に対向する様に支持するテンプル、及び表示ユニット等を備ている。そして、透明基板とテンプルとは、接続部において回動自在に連結され、ＨＭＤを使用しない場合には、テンプルを回動させて透明基板の背面（装着時に眼に対向する面）に沿わせて収納することにより、コンパクト化することができる様になっている（例えば、特許文献１参照）。
【０００５】
ここで、特許文献１に開示されているＨＭＤの概略構成を図５を用いて説明する。図５（ａ）は、ＨＭＤを正面斜め右から見た斜視図、図５（ｂ）は、テンプルが収納された状態のＨＭＤを正面斜め右から見た斜視図、図５（ｃ）は、テンプルが収納された状態のＨＭＤを正面右から見た側面図である。
【０００６】
ＨＭＤ１は、図５（ａ）に示す様に、全体としておおよそ眼鏡のような形状を有しており、眼鏡と同様、透明基板４，５がそれぞれ右左の眼に対向する様に頭部に装着される。
【０００７】
テンプル２，３は、それぞれ透明基板４，５の端部に取り付けられており、装着者の耳や側頭部に掛止され、ＨＭＤ１の装着者に対する頭部への保持及び装着位置の調整を行う為のものである。尚、テンプル２，３は、テンプル２，３の延長方向の中途部に設けられた回動部２ａ，３ａで、回転軸Ｋ２，Ｋ３を中心に、図５（ａ）に示す様に、透明基板４，５に向けて矢印Ｐ，Ｑ方向に折り曲げて回転可能に連結されている。また、表示ユニット６，７は、それぞれ透明基板４，５の前面（装着時に眼に対向する面と反対側の面）の上部に設けられている。
【０００８】
そして、ＨＭＤ１を使用しない場合には、図５（ｂ）に示す様に、テンプル２，３を矢印Ｐ，Ｑ方向に回転させて透明基板４，５の背面に沿わせて収納することにより、コンパクト化することができる様にしている。
【特許文献１】特開２００２−１５６６００号公報
【発明の開示】
【発明が解決しようとする課題】
【０００９】
ところで、通常、表示ユニットは、前述の様に、映像表示素子や接眼光学系等の複数の部品を有していることから、透明基板の前面に配置された状態で、前方に突出する様に取り付けられている。例えば、特許文献１に開示されているＨＭＤ１においては、透明基板４，５の前面の上部に配置された表示ユニット６，７は、図５（Ｃ）に示す様に、前方（図５（Ｃ）では左方向）に突出して取り付けられている。そして、ＨＭＤ１を使用しない場合には、テンプル２，３が透明基板４，５の背面に沿って折り畳まれている。すなわち、透明基板４，５の前面には表示ユニット６，７が突出し、また、背面には、テンプル２，３が重なって折り畳まれている。したがって、図５（ｃ）に示す様に、ＨＭＤ１の奥行きＤ１が大きくなり、コンパクト化を阻害するといった問題が考えられる。また、透明基板４，５の背面は、テンプル２，３によってカバーされて保護されているが、前面は、露出していることから、傷に対する問題が懸念される。
【００１０】
本発明は、上記課題を鑑みてなされたもので、表示ユニットと該表示ユニットを前面に配置した透明基板、及び該透明基板を装着者の眼球に対向する様に支持するテンプルと、を備えたＨＭＤにおいて、ＨＭＤを使用しない場合、透明基板を保護するとともに、よりコンパクトにすることが可能なＨＭＤを提供することを目的とする。
【課題を解決するための手段】
【００１１】
上記目的は、下記の１乃至４のいずれか１項に記載の発明によって達成される。
【００１２】
１．映像を表示する表示ユニットと、
装着時に観察者の左右の眼球にそれぞれ対向する位置に配置され、且つ、前記表示ユニットを該眼球に対向する面と反対側の面の一方、またはその両方に配置した２つの透明基板と、
前記透明基板をそれぞれ保持し、且つ、観察者の頭部において支持される２つのテンプルと、を有する頭部装着式映像表示装置において、
前記テンプルが前記頭部によって支持される位置と、前記透明基板の前記表示ユニットが配置された面に沿った位置との間を移動可能にするテンプル可動手段を有することを特徴とする頭部装着式映像表示装置。
【００１３】
２．前記テンプル可動手段は、前記テンプルと前記透明基板が接続する位置であって、前記テンプルを前記透明基板の側面に沿って回転可能に連結する第１連結部と、
前記テンプルを前記透明基板の方向に折り曲げて回転可能に連結する第２連結部と、を有することを特徴とする前記１に記載の頭部装着式映像表示装置。
【００１４】
３．映像を表示する表示ユニットと、
装着時に観察者の左右の眼球にそれぞれ対向する位置に配置され、且つ、前記表示ユニットを該眼球に対向する面と反対側の面の一方、またはその両方に配置した２つの透明基板と、
前記透明基板をそれぞれ保持し、且つ、観察者の頭部において支持される２つのテンプルと、を有する頭部装着式映像表示装置において、
前記テンプルが前記頭部によって支持される位置と、前記透明基板を挟んで対向する位置との間を移動可能にするテンプル可動手段を有することを特徴とする頭部装着式映像表示装置。
【００１５】
４．前記テンプル可動手段は、前記透明基板を、該透明基板が互いに対向する面に沿って回転可能に連結する第１連結部と、
前記テンプルを前記透明基板の方向に折り曲げて回転可能に連結する第２連結部と、を有することを特徴とする前記３に記載の頭部装着式映像表示装置。
【発明の効果】
【００１６】
本発明によれば、テンプルが頭部によって支持される位置と、透明基板の表示ユニットが配置された面に沿った位置との間を移動可能にするテンプル可動手段を備える様にした。すなわち、ＨＭＤを使用しない場合には、テンプル可動手段によって、テンプルを透明基板の表示ユニットが配置された面と同じ面に沿った位置に移動させて収納するすることができる。したがって、ＨＭＤの奥行きを小さくすることができ、よりコンパクト化することができる。
【００１７】
また、テンプル可動手段は、テンプルを透明基板の側面に沿って回転可能に連結する第１連結部と、テンプルを透明基板の方向に折り曲げて回転可能に連結する第２連結部と、を備える様にした。したがって、最初に、テンプルを第１の連結部にて透明基板の側面に沿って前方に、例えば１８０度回転させ、次に、次にテンプルを第２連結部にて透明基板の前面に向けて、例えば９０度回転させることにより、テンプルを透明基板の表示ユニットが配置された面と同じ面、すなわち前面に沿った位置に移動させて収納するすることができる。
【００１８】
また、テンプルが頭部によって支持される位置と、透明基板を挟んで対向する位置との間を移動可能にするテンプル可動手段を備える様にした。すなわち、ＨＭＤを使用しない場合には、テンプル可動手段によって、テンプルを透明基板を挟んで対向する位置に収納することができる。したがって、透明基板の前面、及び背面の両面は、いずれもテンプルによってカバーされ、傷から保護される。
【００１９】
また、テンプル可動手段は、透明基板を、透明基板が互いに対向する面に沿って回転可能に連結する第１連結部と、テンプルを透明基板の方向に折り曲げて回転可能に連結する第２連結部と、を備える様にした。したがって、最初に、一方の透明基板を第１の連結部にて透明基板が互いに対向する面に沿って、例えば１８０度回転させ、次に、テンプルを第２連結部にて透明基板の背面に向けて、例えば９０度回転させることにより、テンプルを透明基板を挟んで対向する位置に収納することができる。
【発明を実施するための最良の形態】
【００２０】
以下図面に基づいて、本発明に係る頭部装着式映像表示装置の代表的な実施形態の１つであるＨＭＤ（Ｈｅａｄ  Ｍｏｕｎｔ  Ｄｉｓｐｌａｙ）について説明する。
【００２１】
〔実施形態１〕
最初に、ＨＭＤ１の外観を図１を用いて説明する。図１は、本発明に係るＨＭＤ１を正面斜め右から見た斜視図である。
【００２２】
ＨＭＤ１は、装着者の眼球の近傍に配置されて使用される頭部装着式映像表示装置である。ＨＭＤ１は、図１に示す様に、テンプル２，３、透明基板４，５、表示ユニット６，７、及びブリッジ１０等を有し、図示しないカメラユニットで撮影された映像や、外部Ｉ／Ｆ等から取り込まれた例えばビデオやテレビ等のコンテンツ映像等を、表示ユニット６，７に表示する。
【００２３】
テンプル２，３は、可撓性を有する弾性材等により構成された長尺状の部材であり、装着者の耳や側頭部に掛止され、ＨＭＤ１の装着者に対する頭部への保持及び装着位置の調整を行う為のものである。また、テンプル２，３の一方の端は、それぞれ後述の透明基板４，５の側面と第１連結部２ｂ，３ｂで、回転軸Ｋ１を中心に、図１に示す様に、透明基板４，５の側面に沿って矢印Ｒ，Ｓ方向に回転可能に連結されている。また、テンプル２，３は、テンプル２，３の延長方向の中途部に設けられた第２連結部２ａ，３ａで、回転軸Ｋ２，Ｋ３を中心に、図１に示す様に、透明基板４，５に向けて矢印Ｐ，Ｑ方向に折り曲げて回転可能に連結されている。この様に、第１連結部２ｂ，３ｂ、及び第２連結部２ａ，３ａは本発明に係るＨＭＤにおけるテンプル可動手段として機能する。
【００２４】
ブリッジ１０は、後述の透明基板４，５の互いに対向する所定位置に架け渡された短尺の棒状部材であり、透明基板４と透明基板５とを一定の間隙を介した相対位置関係に保持するものである。
【００２５】
透明基板４，５は、ガラスや透明樹脂等からなる略平板状の透明部材であり、ＨＭＤ１の装着時に装着者の眼前に位置する様に、フレーム２，３で支持される。また、透明基板４，５は、左右の眼球にそれぞれ対応した位置にＵ字型のスペース４ｓ，５ｓを形成し、透明基板４，５に囲まれて形成されるＵ字型のスペース４ｓ，５ｓには、後述の表示ユニット６，７中の接眼光学系６５，７５が嵌め込まれている。
【００２６】
表示ユニット６，７は、それぞれ後述のＬＣＤ表示部６１，７１、及び接眼光学系６５，７５等を有し、図示しないカメラユニットで撮影された映像や、外部Ｉ／Ｆから取り込まれた例えばビデオやテレビ等のコンテンツ映像等を表示する。
【００２７】
尚、図１の構成においては、表示ユニット６，７をＨＭＤ１の正面左右にそれぞれ１台づつ設けたが、いずれか一方のみを設ける様にしてもよい。
【００２８】
ここで、表示ユニット６の構成を、図２を用いて説明する。図２は、本発明に係るＨＭＤ１における表示ユニット６の左側面からの側断面図であり、主に表示ユニット６の内部構成を示している。尚、表示ユニット７は、表示ユニット６と同じ構成であるので説明は省略する。
【００２９】
図２に示す様に、表示ユニット６は、筐体６１１、ＬＥＤ（Ｌｉｇｈｔ  Ｅｍｉｔｔｉｎｇ  Ｄｉｏｄｅ）６１２、コリメータレンズ６１３、ＬＣＤ（Ｌｉｑｕｉｄ  Ｃｒｙｓｔａｌ  Ｄｉｓｐｌａｙ）６１４からなるＬＣＤ表示部６１、及びプリズム６５１、ＨＯＥ（Ｈｏｌｏｇｒａｐｈｉｃ  Ｏｐｔｉｃａｌ  Ｅｌｅｍｅｎｔ）６５２からなる接眼光学系６５等を有する。
【００３０】
ＬＣＤ表示部６１の筐体６１１の内部には、ＬＥＤ６１２、コリメータレンズ６１３、及びＬＣＤ６１４が内蔵された状態で、該筐体６１１が接眼光学系６５のプリズム６５１の上端部において上斜め前方（図２では右斜め上方向）に突出する態様で取り付けられている。
【００３１】
ＬＥＤ６１２は、緑、青、赤の３色の発光ダイオード（ＬＥＤ）からなり、加算混合することにより白色光を生成している。尚、ＬＥＤ６１２は、所定波長色を含む白色発光ダイオードを用いてもよい。
【００３２】
コリメータレンズ６１３は、ＬＥＤ６１２の光をほぼ平行光にしてＬＣＤ６１４に投光するものである。
【００３３】
ＬＣＤ６１４は、図示しないカメラユニットで生成された映像信号や、外部Ｉ／Ｆ取り込まれた例えばビデオやテレビ等のコンテンツ映像信号等に基づき映像を生成するものであり、例えば透過型の液晶表示パネルである。
【００３４】
プリズム６５１は、ガラスや透明樹脂等からなる略板状の透明部材であり、ＬＣＤ６１４からの光を内部で複数回の反射を行わせるものである。プリズム６５１の上端部は、ＬＣＤ６１４からの光の大部分を内部に採光できるように、上方に向かってより肉厚となるように前面側（接眼面と反対側）が突き出るように楔形状に形成された肉厚部６５１ｂが形成されている。
【００３５】
また、プリズム６５１の下端部には、傾斜面６５１ａが形成されており、プリズム６５１は、透明基板４に形成された傾斜面４ａに対しＨＯＥ６５２を介して接合（例えば接着）されている。また、プリズム６５１の表裏面は、透明基板４の表裏面に対して面一とされている。これにより、プリズム６５１は、透明基板４と一枚の板状に一体化されている。
【００３６】
ＨＯＥ６５２は、光学的に軸非対称な所謂自由曲面で構成されて正のパワーを有する体積位相型のホログラム光学素子であり、プリズム６５１の下端部において所定の傾斜角を有して支持されている。ＨＯＥ６５２は、プリズム６５１により導光された光が照射されることにより、光の干渉現象を用いてホログラム映像を眼球Ｅに提供する。
【００３７】
以上の様な構成を有する表示ユニット６においては、ＬＥＤ６１２から射出された光は、コリメータレンズ６１３を通してＬＣＤ６１４を照明し、この照明によりＬＣＤ６１４で生成された像光は、プリズム６５１内で複数回の全反射を行った後、ＨＯＥ６５２により回折し虚像として使用者の眼球Ｅに導かれる。
【００３８】
さらに、プリズム６５１は、前方から入射する光を使用者の眼球に導くようになっている。これにより、装着者は、外界（前方の被写体）をシースルー可能となり、図示しないカメラユニットにより撮影された映像を外界（前方の被写体）と重畳して視認することとなる。
【００３９】
尚、透明基板４に形成された傾斜面４ａは、プリズム６５１の傾斜面６５１ａでの光の屈折をキャンセル（相殺）する、すなわち、傾斜面６５１ａにおけるプリズム効果により矢印Ｗ側からの光が上方に屈曲するのを防止する為、装着者は、プリズム６５１、透明基板４、及びＨＯＥ６５２を通して、外界光を歪むことなく観察することができる。
【００４０】
この様に、表示ユニット６，７は、ＬＣＤ表示部６１，７１や接眼光学系６５，７５等の複数の部品を有していることから、透明基板４，５の前面に配置された状態で、前方に突出する様に取り付けられている。
【００４１】
この様な構成のＨＭＤ１において、本発明は、テンプル２，３を頭部によって支持される位置と、透明基板４，５の表示ユニット６，７が配置された面と同じ面、すなわち前面（装着時に眼に対向する面と反対側の面）に沿った位置との間を移動可能にするテンプル可動手段を設け、ＨＭＤ１を使用しない場合には、テンプル２，３を透明基板４，５の前面に沿った位置に移動させて収納することにより、ＨＭＤ１の奥行きを小さくし、よりコンパクト化することができる様にするものである。
【００４２】
ここで、テンプル可動手段により、テンプル２，３を頭部によって支持される位置から透明基板４，５の前面に沿った位置に移動させる動作を、図３を用いて説明する。図３（ａ）は、テンプル２，３が頭部によって支持される位置に位置する時の状態を示す模式図、図３（ｂ）は、テンプル２，３が頭部によって支持される位置から透明基板４，５の前面に沿った位置へ移動過程にある時の状態を示す模式図、図３（ｃ）は、テンプル２，３が透明基板４，５の前面に沿った位置へ収納された状態を示す模式図、図３（ｄ）は、テンプル２，３が収納された状態のＨＭＤ１を正面右から見た側面図である。
【００４３】
ＨＭＤ１を使用する時は、図３（ａ）に示す様に、テンプル２，３は、頭部によって支持される位置に位置している。
【００４４】
この様な状態からテンプル２，３を、透明基板４，５の前面に沿った位置へ収納させる場合、最初に、テンプル２，３を、第１連結部２ｂ，３ｂの回転軸Ｋ１を中心に、透明基板４，５の側面に沿って矢印Ｒ，Ｓ方向に例えば１８０度回転させて、図３（ｂ）に示す様に、透明基板４，５の前面の前方方向に延在させる。
【００４５】
次に、テンプル２，３を、第２連結部２ａ，３ａの回転軸Ｋ２，Ｋ３を中心に、透明基板４，５の前面に向けて矢印Ｐ、Ｑ方向に例えば９０度折り曲げる。これにより、テンプル２，３は、図３（ｃ）に示す様に、透明基板４，５の前面に沿った位置に移動して収納される。
【００４６】
この様に、本発明に係るＨＭＤ１では、ＨＭＤ１を使用しない場合には、テンプル可動手段によって、テンプル２，３を透明基板４，５の表示ユニット６，７が配置された面と同じ面に沿った位置に移動させて収納するすることができる。これにより、図３（ｄ）に示す様に、ＨＭＤ１の奥行きＤ２は、前述の従来のＨＭＤ１における奥行きＤ１よりも小さくすることができ、よりコンパクト化することができる。
【００４７】
〔実施形態２〕
次に、本発明に係る頭部装着式映像表示装置の第２の実施形態によるＨＭＤ１について説明する。その要部構成は、前述した実施形態１と略同様なので詳細な説明は省略し、第１の実施形態と構成の異なるブリッジを備えたテンプル可動手段、及びその動作について、図４を用いて説明する。図４（ａ）は、テンプル２，３が頭部によって支持される位置に位置する時の状態を示す模式図、図４（ｂ）は、テンプル２，３が頭部によって支持される位置から透明基板４，５を挟んで対抗する位置へ移動過程にある時の状態を示す模式図、図４（ｃ）は、テンプル２，３が透明基板４，５を挟んで対向する位置に収納された状態を示す模式図、図４（ｄ）は、テンプル２，３が収納された状態のＨＭＤ１を正面右から見た側面図である。
【００４８】
最初に、第１の実施形態によるＨＭＤ１と構成の異なるブリッジ１０１，１０２について説明する。
【００４９】
ブリッジ１０１，１０２は、図４（ａ）に示す様に、透明基板４，５の対向する側面にそれぞれ設けられ、第１連結部１００ａで、回転軸Ｋ５を中心に、回転可能に連結されている。
【００５０】
また、テンプル２，３は、前述の第１の実施形態によるＨＭＤ１と同様に、テンプル２，３の延長方向の中途部に設けられた第２連結部２ａ，３ａで、回転軸Ｋ２，Ｋ３を中心に、図４（ａ）に示す様に、透明基板４，５に向けて矢印Ｐ，Ｑ方向に折り曲げて回転可能に連結されている。この様に、第１連結部１００ａ、及び第２連結部２ａ，３ａは本発明に係るＨＭＤにおけるテンプル可動手段として機能する。
【００５１】
この様な構成のＨＭＤ１において、本発明は、テンプル２，３を頭部によって支持される位置と、透明基板４，５を挟んで対向する位置との間を移動可能にするテンプル可動手段を設け、ＨＭＤ１を使用しない場合には、テンプル２，３を透明基板４，５を挟んで対抗する位置に移動させて収納することにより、透明基板４，５の前面、及び背面の両面がテンプル２，３によってカバーされ、傷から保護することができる様にするものである。
【００５２】
ここで、テンプル可動手段により、テンプル２，３を頭部によって支持される位置から透明基板４，５を挟んで対向する位置に移動させる動作を、図４を用いて説明する。
【００５３】
ＨＭＤ１を使用する時は、図４（ａ）に示す様に、テンプル２，３は、頭部によって支持される位置に位置している。
【００５４】
この様な状態からテンプル２，３を、透明基板４，５を挟んで対向する位置に移動させる場合、最初に、透明基板４，５のいずれか一方、例えば透明基板５を、第１連結部１００ａの回転軸Ｋ５を中心に、矢印Ｘ方向に例えば１８０度回転させて、図４（ｂ）に示す様に、透明基板５の前面と背面を反転させる。
【００５５】
次に、テンプル２，３を、第２連結部２ａ，３ａの回転軸Ｋ２，Ｋ３を中心に、透明基板４，５の背面に向けて矢印Ｐ、Ｑ方向に例えば９０度折り曲げる。これにより、テンプル２，３は、図４（ｃ）に示す様に、透明基板４，５の背面に沿って、透明基板４，５を挟んで対向する位置に移動して収納される。
【００５６】
この様に、本発明に係るＨＭＤ１では、ＨＭＤ１を使用しない場合には、テンプル可動手段によって、テンプル２，３を透明基板４，５を挟んで対向する位置に移動させて収納することができる。これにより、図４（ｄ）に示す様に、透明基板４，５の前面、及び背面の両面は、テンプル２，３によってカバーされ、傷から保護することができる。
【００５７】
以上、本発明を実施の形態を参照して説明してきたが、本発明は前述の実施の形態に限定して解釈されるべきでなく、適宜変更、改良が可能であることは勿論である。例えば、本実施形態においては、接眼光学系にＨＯＥを用いたが、ハーフミラー等を用いるようにしてもよい。
【図面の簡単な説明】
【００５８】
【図１】本発明に係るＨＭＤの一例による外観模式図である。
【図２】本発明に係るＨＭＤにおける表示ユニットの側断面図である。
【図３】本発明に係るＨＭＤの実施形態１による収納時の状態を示す模式図である。
【図４】本発明に係るＨＭＤの実施形態２による収納時の状態を示す模式図である。
【図５】従来のＨＭＤにおける収納時の状態を示す模式図である。
【符号の説明】
【００５９】
１  ＨＭＤ
２，３  テンプル
４，５  透明基板
６，７  表示ユニット
６１．７１  ＬＣＤ表示部
６１１  筐体
６１２  ＬＥＤ
６１３  コリメータレンズ
６１４  ＬＣＤ
６５，７５  接眼光学系
６５１  プリズム
６５２  ＨＯＥ
１０，１０１，１０２  ブリッジ
Ｅ  目
【図１】
2007274340.tif 000003
【図２】
2007274340.tif 000004
【図３】
2007274340.tif 000005
【図４】
2007274340.tif 000006
【図５】
2007274340.tif 000007